(57)【要約】【課題】避難方向も表示可能な誘導灯を提案すること。【解決手段】誘導灯１は、光源ランプ７として６個のフラッシュランプあるいは白色発光ダイオードランプなどの高輝度ランプ１１〜１６を備えている。これらのランプ１１〜１６は避難方向に沿って一列に配列されている。発光制御回路４３は、ランプ１１〜１６を避難方向に沿って順次に発光させる動作を繰り返し行わせる。発光間隔および発光時間を適切に設定しておくことにより、避難者は、誘導灯１の発光点が避難方向に恰も移動しているかのように認識する。かかる目の錯覚を利用して避難方向も表示可能である。【選択図】      図１
2004302975.tif 000002
【特許請求の範囲】
【請求項１】
光源ランプと、
前記光源ランプに駆動電力を供給するための電池電源と、
前記光源ランプの発光を制御する発光制御手段とを有し、
前記光源ランプは、避難誘導方向に沿って配列されている複数のランプを備えており、
前記発光制御手段は、前記複数のランプが前記避難誘導方向に沿って所定の時間間隔で順次に発光する発光動作を繰り返すように、これらのランプを制御することを特徴とする誘導灯。
【請求項２】
請求項１において、
前記ランプはフラッシュランプあるいは白色発光ダイオードランプであることを特徴とする誘導灯。
【請求項３】
請求項２において、
照度検出手段を有し、
前記発光制御手段は、前記照度検出手段により検出された照度が予め定められている照度レベル以下になると、前記複数のランプの前記発光動作を開始することを特徴とする誘導灯。
【発明の詳細な説明】
【０００１】
【発明の属する技術分野】
本発明は、地下街、地下道などにおける火災などの非常時に、人を避難路に沿って安全に避難口まで案内するために、壁面等に設置される誘導灯に関するものである。
【０００２】
【従来の技術】
地下街や地下鉄通路内に設置されている誘導灯は、火災発生などによって煙が充満して視界が悪くなった場合に、人を避難口などの安全な場所に誘導するために設置されている。誘導灯の電源としては商用交流電源が用いられている。また、商用交流電源が遮断された非常時に蓄電池に切り替えて誘導灯を点灯するシステムも知られている。例えば次の特許文献１にかかる構成を備えた防災用照明装置が開示されている。
【０００３】
なお、本願人は、商用交流電源が埋設されていない場所、特に道路のトンネル内に設置するのに適した誘導灯システムを提案している（特願２００２−３３７４６３号）。
【０００４】
【特許文献１】
特開２００１−３３８７８４号公報
【０００５】
【発明が解決しようとする課題】
ここで、誘導灯は避難誘導経路に沿って配置されているが、避難者は誘導灯を目視しただけでは避難方向を知ることができない。このため、避難方向を示す矢印マークなどを別途表示するなどの対策が必要である。
【０００６】
本発明の課題は、避難方向も表示可能な誘導灯を提案することにある。
【０００７】
【課題を解決するための手段】
上記の課題を解決するために、本発明の誘導灯は、光源ランプと、前記光源ランプに駆動電力を供給するための電池電源と、前記光源ランプの発光を制御する発光制御手段とを有し、前記光源ランプは、避難誘導方向に沿って配列されている複数のランプを備えており、前記発光制御手段は、前記複数のランプが前記避難誘導方向に沿って所定の時間間隔で順次に発光する発光動作を繰り返し行うように、これらのランプを制御することを特徴としている。
【０００８】
ここで、誘導灯の視認性を高めるためには、前記ランプとして、フラッシュランプあるいは白色発光ダイオードランプなどの高輝度ランプを用いることが望ましい。
【０００９】
また、照度検出手段を設け、火災などにより照明が消えた場合や煙が充満して照度が低下した場合（避難誘導が必要な場合）に、前記発光制御手段により、前記複数のランプの前記発光動作を開始すればよい。
【００１０】
本発明の誘導灯では、避難方向に配列された複数のランプが、避難方向に沿って順次に発光する。各ランプの発光間隔を適切に設定しておけば、避難者には、目の残像現象により、発光点が避難方向に移動するように認識される。よって、避難方向を示すマークなどを点灯表示することなく、誘導灯自体により避難方向を表示できる。
【００１１】
【発明の実施の形態】
以下に、図面を参照して、本発明を適用した誘導灯の実施の形態を説明する。
【００１２】
図１は本実施の形態に係る誘導灯を一部切り欠いた状態で示す斜視図であり、図２は誘導灯の縦断面図である。本実施の形態に係る誘導灯１は、地下街、トンネルなどの壁面に設置されるものであり、取付板２と、この取付板２の表面２ａに取り付けたプラスチック製のカバー３と、取付板表面２ａに取り付けられていると共に透明カバー３によって覆われている光源ランプユニット４とを有している。
【００１３】
光源ランプユニット４は、鋼板などの板材から組み立てられているユニットケース５を備えており、このユニットケース５の上端部分には３枚のソーラーパネル６が取り付けられている。また、ユニットケース５の前面の下側部分には光源ランプ７が取り付けられており、ユニットケース５の内部には二次電池８と、制御基板９が配置されている。
【００１４】
本例の透明カバー３は可視光に対して透明であり、地下街やトンネル内に設置されている照明光や広告灯の光が当該透明カバー３を透過して内部のソーラーパネル６の受光面に到達可能である。また、光源ランプユニット４からの光が透明カバー３を透過して外部に放出可能である。透明カバー３は水平な底板部分３１と、この底板部分３１の前縁および左右の縁から上方に垂直に延びている垂直前板部分３２および左右の垂直側板部分３３、３４と、垂直前板部分３２の上端から４５度よりも急な傾斜角度で後退している傾斜前板部分３５とを備えている。底板部分３１、左右の垂直側板部分３３、３４、および傾斜前板部分３５の後端縁は、Ｏリングなどのシール材１０を介して取付板表面２ａに液密状態で固定されている。透明カバー３を取付板表面２ａに固定するために、透明カバー３の左右の垂直側板部分３３、３４には側方に突出しているフランジ３６、３７が形成され、これらに固定ねじ（図示せず）をねじ込むためのタップ孔３６ａ、３７ａが形成されている。
【００１５】
光源ランプユニット４の上端部分に取り付けられている３枚のソーラーパネル６は、僅かに横長の長方形をしており、前側が下となるようにほぼ４５度の傾斜角度で設置されている。ソーラーパネル６はカバー３を介して、天井などに設置されている照明灯や広告灯などの光を受けて発電を行う。ソーラーパネル６で発生した電力は二次電池８に蓄積される。
【００１６】
次に、光源ランプ７は複数個の高輝度ランプ、本例では６個のフラッシュランプあるいは白色発光ダイオードランプなどの高輝度ランプ１１〜１６と、これらの発光を制御する発光制御手段（図３参照）とを備えている。これらの高輝度ランプ１１〜１６は一例に配列されており、壁面Ｗに取り付けられた状態では、避難誘導方向に沿って配列された状態とされる。
【００１７】
図３は本例の誘導灯１の制御基板９に作り込まれている制御回路を示す概略ブロック図である。制御回路４０は、照度検出部４１と、光源ランプ７を駆動制御する発光制御手段を構成しているスイッチング回路４２および発光制御回路４３とを備えている。照度検出部４１は、誘導灯１が設置されている場所の照度を検出するためのものであり、受光センサ４４および検出回路４５を備えている。検出回路４５では、受光センサ４４から得られる受光量を予め定めた基準受光量と比較し、基準受光量よりも検出された受光量が下回った場合、換言すると、照度が所定の照度レベルを下回った場合に、スイッチング信号をスイッチング回路４２に出力する。このスイッチング信号を受信すると、通常はオフ状態に保持されているスイッチング回路４２がオンに切り替わる。例えば、４０ルックス以下になるとスイッチング回路４２がオンに切り替わる。
【００１８】
本例では電池電源としてソーラーパネル（太陽電池）６と、このソーラーパネル６によって充電される二次電池８とを備えている。前述のようにソーラーパネル６は照明灯や広告灯などの光を受光し、発生した起電力が二次電池８に蓄えられる。この二次電池８から照度検出部４１、スイッチング回路４２および光源ランプ７に電力が供給される。
【００１９】
スイッチング回路４３がオフの状態では給電回路が遮断されているので、光源ランプ７は発光しない。誘導灯設置場所の照度が４０ルックス以下に低下すると、スイッチング回路４２がオンに切り替わり、給電回路が形成されて、発光制御回路４３の制御の下に、光源ランプ７が発光する。
【００２０】
図４は本例の発光ランプ７の発光動作を示す説明図である。図４（ａ）に示すように、各高輝度ランプ１１〜１６が避難方向Ａに沿って配列されているものとする。図４（ｂ）に示すように、各高輝度ランプ１１〜１６は、高輝度ランプ１１の側から順に所定間隔ｔ１で所定期間ｔ２だけ発光する。また、かかる発光動作が繰り返し行われる。
【００２１】
隣接している高輝度ランプ１１〜１６の発光間隔ｔ１と、各ランプの発光時間ｔ２を適切な時間幅に設定しておくことにより、避難者は光源ランプ７の発光点が避難方向に沿って恰も移動しているかのように認識する。例えば、これらの間隔ｔ１、ｔ２をそれぞれ１秒以内にしておけばよい。かかる目の錯覚により、避難者に対して誘導方向を示すことができる。
【００２２】
【発明の効果】
以上説明したように、本発明の誘導灯では、避難方向に沿って配列された複数個のランプを備え、各ランプを、所定の時間間隔で避難方向に向けて順次に発光させる動作を繰り返し行うようにしている。
【００２３】
かかる発光動作を行うことにより、避難者に対して、発光点が避難方向に恰も移動するかのように認識させることができる。よって、避難方向も表示可能な誘導灯を実現できる。
【図面の簡単な説明】
【図１】本発明を適用した誘導灯を一部切り取った状態で示す斜視図である。
【図２】図１の誘導灯の縦断面図である。
【図３】図１の誘導灯の制御回路を示す概略ブロック図である。
【図４】図１の誘導灯の光源ランプの発光動作を示すタイミングチャートである。
【符号の説明】
１    誘導灯
２    取付板
３    透明カバー
４    光源ランプユニット
５    ユニットケース
６    ソーラーパネル
７    光源ランプ
８    二次電池
１１〜１６  高輝度ランプ
４１  照度検出部
４２  スイッチング回路
４３  発光制御回路
【図１】
2004302975.tif 000003
【図２】
2004302975.tif 000004
【図３】
2004302975.tif 000005
【図４】
2004302975.tif 000006